(57)【要約】【課題】記録媒体に記録した番組情報自体を編集することなく、番組情報の編集が可能な情報記録装置および情報再生方法を提供すること。【解決手段】記録媒体に画像情報を含む番組情報を記録する第１の情報記録手段と、前記記録媒体に前記番組情報の再生を制御する再生制御手段の起動指示情報を記録する第２の情報記録手段とを具備ことで記録媒体に記録した番組情報自体を編集することなく、番組情報の編集が可能になる。【選択図】図１
2008113346.tif 000002
【特許請求の範囲】
【請求項１】
記録媒体に画像情報を含む番組情報を記録する第１の情報記録手段と、
前記記録媒体に前記番組情報の再生を制御する再生制御手段の起動指示情報を記録する第２の情報記録手段と
を具備することを特徴とする情報記録装置。
【請求項２】
前記記録媒体から前記起動指示情報を読み取る読み取り手段と、
前記読み取られた起動指示情報に基づいて起動される前記再生制御手段と
を更に具備することを特徴とする請求項１記載の情報記録装置。
【請求項３】
前記番組情報を区分する複数の領域それぞれを識別する情報と、前記複数の領域それぞれでの再生の有無を表す情報と、前記複数の領域の再生順序を表す情報とを有する再生リストに基づいて、前記再生制御手段が前記番組情報の再生を制御することを特徴とする請求項２記載の情報記録装置。
【請求項４】
画像情報を含む番組情報および起動指示情報が記録された記録媒体から起動指示情報を読み取るステップと、
前記読み取られた起動指示情報に基づいて、再生制御手段を起動させるステップと、
前記番組情報を区分する複数の領域それぞれを識別する情報と、前記複数の領域それぞれでの再生の有無を表す情報と、前記複数の領域の再生順序を表す情報とを有する再生リストに基づいて、前記再生制御手段が番組情報の再生を制御するステップと
を具備することを特徴とする情報再生方法。
【発明の詳細な説明】
【技術分野】
【０００１】
本発明は、記録媒体に番組情報の記録または再生を行う情報記録装置および情報再生方法に関する。
【背景技術】
【０００２】
ハードディスク、光ディスクなどの記録媒体に放送波などの番組情報の記録または再生を行う情報記録装置が知られている。また、ハードディスクなどに記録した番組情報を編集して再生する場合がある。
なお、ハードディスクに蓄積中にテレビ放送番組をリアルタイムに視聴しながら、番組中の所定部分をスキップして再生する技術が開示されている（特許文献１参照）。
【特許文献１】特開２００５−１４２８２１号公報
【発明の開示】
【発明が解決しようとする課題】
【０００３】
ここで、ハードディスクなどの編集可能な記録媒体が利用困難なことがあり得る。例えば、ハードディスクの容量が残り少なくなる一方、予約録画したい番組が間近に迫っている場合があり得る。
上記に鑑み、本発明は、記録媒体に記録した番組情報自体を編集することなく、番組情報の編集が可能な情報記録装置および情報再生方法を提供することを目的とする。
【課題を解決するための手段】
【０００４】
本発明の一形態にかかる情報記録装置は、記録媒体に画像情報を含む番組情報を記録する第１の情報記録手段と、前記記録媒体に前記番組情報の再生を制御する再生制御手段の起動指示情報を記録する第２の情報記録手段とを具備することを特徴とする。
【０００５】
本発明の一形態にかかる情報再生方法は、画像情報を含む番組情報および起動指示情報が記録された記録媒体から起動指示情報を読み取るステップと、前記読み取られた起動指示情報に基づいて、再生制御手段を起動させるステップと、前記番組情報を区分する複数の領域それぞれを識別する情報と、前記複数の領域それぞれでの再生の有無を表す情報と、前記複数の領域の再生順序を表す情報とを有する再生リストに基づいて、前記再生制御手段が番組情報の再生を制御するステップとを具備することを特徴とする。
【発明の効果】
【０００６】
本発明によれば、記録媒体に記録した番組情報自体を編集することなく、番組情報の編集が可能な情報記録装置および情報再生方法を提供することができる。
【発明を実施するための最良の形態】
【０００７】
以下図面を参照して、本発明の一形態にかかる実施の形態を詳細に説明する。図１は、本発明の実施の一形態にかかる情報記録装置１００の構成を示すブロック図である。
同図に示すように、情報記録装置１００は、データプロセッサ部１０２、番組受信部１０４、第1記憶部１０８、記録媒体読み書き部１１０、記録媒体１１２、第２記憶部１１４、入力部１１６、情報出力部１１８を備える。
情報記録装置１００には、視聴装置２００が接続される。
【０００８】
情報記録装置１００は、放送波などの番組情報の記録または再生が可能で、さらに第1記憶部１０８や記録媒体１１２に番組情報を記録させることができる装置である。
情報記録装置１００は、図示しない電源部を有している。
データプロセッサ部１０２は、情報記録装置１００全体を制御するものである。この制御は、例えば番組受信部１０４が受信した番組情報をＷＭＶ（Windows Media Player（登録商標））やＭＰＥＧ(Moving Picture Experts Group)などの圧縮符号データに符号化することである。
【０００９】
また、符号化した番組情報を第１記憶部１０８に記憶させることや、第１記憶部１０８に記憶させた番組情報を、記録媒体読み書き部１１０を制御して記録媒体１１２に記録させることなどもデータプロセッサ部１０２が制御する。
データプロセッサ部１０２は、記録媒体読み書き部１１０を制御して記録媒体１１２に記録された番組情報の読み取りを行わせることもできる。
番組受信部１０４は、例えば屋外に設置されたアンテナ（図示せず）と接続されており、このアンテナを介して番組情報を受信する。
【００１０】
番組受信部１０４が受信する番組情報は特に限定されず例えば、地上アナログ波、地上
デジタル波、衛星放送用電波など種々のものである。
第１記憶部１０８は例えば、ＨＤＤ（Hard Disk Drive）でありデータプロセッサ部１０２によって符号化された複数の番組情報が蓄積される。
記録媒体読み書き部１１０は例えば、青色や赤色で発光するＬＤ（Laser Diode）を備え、記録媒体１１２に番組情報を記録する第１の情報記録手段として機能する。
【００１１】
また、記録媒体読み書き部１１０は記録媒体１１２に、後述する通信アプリケーションを記録する第２の情報記録手段としても機能する。
さらに、記録媒体読み書き部１１０は、データプロセッサ部１０２に制御されて記録媒体１１２に記録された番組情報を読み取る読み取り手段としても機能する。
記録媒体１１２は例えばＤＶＤ−Ｒ（Digital Versatile Disk−Recordable）、ＨＤ−ＤＶＤ−Ｒ（High Definition−Digital Versatile Disk−Recordable）等に代表される追記型の記録媒体である。
【００１２】
記録媒体１１２には、符号化された複数の番組情報が記録される。記録媒体１１２には番組情報の他にも、Ｃ言語やＪＡＶＡ（登録商標）、ＪＡＶＡ（登録商標）スクリプト、ＨＤｉなど種々のプログラミング言語やスクリプト言語で構成された通信アプリケーションが記録される。
第２記憶部１１４は、例えば第１記憶部と同様にＨＤＤである。第２記憶部１１４には画像情報や、記録媒体１１２に記録された番組情報の再生順番情報などを持つ再生リストが格納されている。第２記憶部１１４はＨＤＤ以外にもＵＳＢ（Universal Serial Bus）メモリなどのストレージ（外部記憶装置）を用いることもできる。
【００１３】
この第２記憶部１１４に格納されている画像情報は、例えば、記録媒体１１２を再生するときに記録媒体１１２に記録されている番組情報と合成される番組名などの装飾用画像情報である。
また、第２記憶部１１４には、再生リストを作成するためのオーサリングアプリケーション、再生リストに基づいて記録媒体１１２に記録された番組情報をデータプロセッサ部１０２に再生させる再生プログラムなどが格納されている。
【００１４】
第２記憶部１１４に格納された再生プログラムは、通信アプリケーションを読み取ったデータプロセッサ部１０２によって起動される。再生プログラムは記録媒体１１２に記録された番組情報を再生する際に、データプロセッサ部１０２に各種の動作を行わせる指示プログラムである。
【００１５】
再生プログラムの指示は例えば、以下Ａ−Ｃである。
Ａ．データプロセッサ部１０２に第２記憶部１１４に格納された再生リストの検索をさせる。
Ｂ．検索の結果再生リストが存在する場合には、データプロセッサ部１０２に再生リストを読み取らせる。
Ｃ．検索の結果再生リストが存在しない場合にはデータプロセッサ部１０２に第２記憶部１１４に格納されたオーサリングアプリケーションを起動させる。
【００１６】
オーサリングアプリケーションは第２記憶部１１４に格納された画像情報を編集管理可能な再生リスト作成アプリケーションである。
オーサリングアプリケーションは、再生プログラムを読み取ったデータプロセッサ部１０２によって起動される。起動されたオーサリングアプリケーションはデータプロセッサ部１０２に制御されオーサリングを行う。
【００１７】
オーサリングとは、記録媒体１１２に記録された番組情報と第２記憶部１１４に格納された画像情報との対応付けなどを行う情報付加作業である。オーサリングは入力部１１６を用いて使用者が情報を入力する場合もある。オーサリングアプリケーションはオーサリング終了後にオーサリング内容をテーブルデータにした再生リストを出力する。出力された再生リストはデータプロセッサ部１０２によって第２記憶部１１４に格納される。なお、オーサリングアプリケーションは第１記憶部１０８に格納されていてもよい。
【００１８】
入力部１１６は、図示はしないが例えばキーボードやリモートコントロール装置（以下、リモコンと称す。）などの入力装置を備え、番組再生リストを作成するときには各種情報を入力する。この入力部１１６には、リモコンでの情報を入力可能とする情報受信装置（例えば、赤外線受信装置）を含めることができる。
【００１９】
情報出力部１１８は、データプロセッサ部１０２の制御によって記録媒体１１２から読み取られた番組情報と、第２記憶部１１４に格納されている画像情報とを視聴装置２００に出力する。
視聴装置２００は出力された情報を表示する装置で、例えば、ＣＲＴ（Cathode Ray Tube）、ＬＣＤ（Liquid Crystal Display）や音声を出力する装置、例えば、スピーカ、ヘッドホンなどで構成される。
【００２０】
次に図２を用いて記録媒体１１２について詳細に説明する。すなわち図２は記録媒体１１２の構成を示す構成図である。記録媒体１１２には通信アプリケーションと、符号化された１からｎ個の番組情報が記録されている。
記録媒体１１２は、特別図示はしないがシステムリードイン領域と呼ばれる管理領域を有している。情報記録装置１００は通常、記録媒体１１２が記録済みかどうかなどの情報を得るために、記録媒体１１２が挿入された際にまずシステムリードイン領域を読み取る。
【００２１】
すなわちこのシステムリードイン領域には記録媒体１１２の管理情報が記録されている。管理情報は例えば、記録媒体１１２に記録されている通信アプリケーションと番組情報のどちらを先に読み取るかなどの読み取り順番情報である。
よって例えば、システムリードイン領域に各番組情報よりも先に通信アプリケーションを読み取らせる情報を記録しておくことで情報記録装置１００に記録媒体１１２を挿入した際にはまず通信アプリケーションが自動で起動されるようにすることができる。
【００２２】
通信アプリケーションは再生プログラムの起動指示情報を有している。
この起動指示情報は例えば、再生プログラムが格納されている情報を特定するためのアドレス情報やデータプロセッサ部１０２に再生プログラムを起動するよう実行させる実行命令などである。
すなわち、データプロセッサ部１０２が記録媒体読み書き部１１０を制御して通信アプリケーションを読み取らせることで、起動指示情報が読み取られる。
【００２３】
起動指示情報を読み取ったデータプロセッサ部１０２によって再生プログラムが起動される。通信アプリケーションは再生プログラム起動指示情報の他にも、記録媒体１１２固有の識別情報やポイント情報を有していてもよい。
識別情報とは、記録媒体１１２が有する固有の情報であり例えば、番組情報を記録した日時や、データプロセッサ部１０２によってランダム生成された数字情報など種々のものが適用可能である。
【００２４】
データプロセッサ部１０２が第２記憶部１１４に格納されている再生リストを検索する場合がある。この場合第２記憶部１１４に複数の再生リストが存在するような場合がある。この識別情報を用いることによって、記録媒体１１２に対応する再生リストかどうかの判定がなされる。すなわち識別情報は、第２記憶部１１４に格納された再生リストが記録媒体１１２に対応した再生リストかどうかをデータプロセッサ部１０２が判定する際に用いられる。
識別情報は、オーサリングアプリケーションによって作成される再生リストに付加することができる。
【００２５】
ポイント情報は俗にチャプタと呼ばれるものである。次にポイント情報について詳細に説明する。
まず各番組情報は可変長のユニットの配列から構成されている。番組情報１はユニット１からユニットｎで構成されている。
各ユニットは更にヘッダ、音声、主映像などのデータで構成されている。ユニットはこの他にも副映像や副音声などのデータも含んで構成されることがある。さらにこれらヘッダ、音声、主映像などは更に複数のセクタから構成されている。
【００２６】
以上のように構成された記録媒体１１２に各番組情報を記録する際、所定のセクタに自動的にポイント情報が付加されることが望ましい。
セクタに自動的にポイント情報を付加する方法は種々のものが適用できる。
例えば、番組情報に含まれるステレオ信号とモノラル信号とを検出して、信号の変わり目に付加する方法や、ＧＯＰ（Group of Picture）といわれるフレーム群を検出し、ＧＯＰとＧＯＰの間に付加する方法などである。ポイント情報が付加されることで例えば、番組情報1と番組情報２とをポイント情報で区切られた別々の情報として扱うことができる。
【００２７】
換言すればポイント情報が付加されなければ１からｎまでの番組情報は、それぞれの個別の番組情報としては扱われない。この場合これらは実質的に一つの連続した番組情報として扱われることになる。
「別々の情報として扱うことができる」とは例えば、番組情報１や番組情報２において頭だしやサーチなどが可能になるということである。
すなわち、ポイント情報を付加するセクタとしては番組情報1を構成している先頭のセクタ（セクタ1）や番組情報２を構成している先頭のセクタであることが望ましい。
【００２８】
このようにポイント情報を付加して番組情報を区切ることにより任意の番組情報の頭出しやサーチが容易に行えるようになる（以後、このポイント情報で区切られたセクタの単位を章と称す）。すなわち章は番組情報を区分する複数の領域それぞれを識別するための情報である。
なお、一つの番組情報に複数のポイント情報を付加することも可能である。例えば、番組情報１を３分割するようにポイント情報を付加する。すなわち番組情報１は３章で構成されることになる。この場合には、番組情報１を３つの独立した情報として扱うことも可能である。
【００２９】
章を構成する各セクタはポイント情報が付加されたセクタをポイントセクタ情報として記憶する。
例えば、番組情報１を構成しているセクタ１とセクタ３にポイント情報が付加されている場合には、セクタ１、セクタ２はポイントセクタ情報としてセクタ１を記憶することになる。そしてセクタ３からセクタｎはポイントセクタ情報としてセクタ３を記憶することになる。各セクタが記憶しているポイントセクタ情報を読み取ることで、その章の頭だしやサーチを容易に行えるようになる。
【００３０】
同様に番組情報２または番組情報３を構成する先頭のセクタにポイント情報が付加されればそれぞれの番組情報を構成しているセクタはポイントセクタ情報をそれぞれ記憶することになる。
なお、各セクタが記憶するポイントセクタ情報はそれぞれのセクタが構成している番組情報のポイントセクタ情報のみに限定されず、ひとつ後ろや一つ前の番組情報のポイントセクタ情報を記憶することもできる。
【００３１】
例えば、番組情報２を構成している各セクタが、この番組情報２のポイントセクタ情報を有するとともに、番組情報１、番組情報３の各ポイントセクタ情報を記憶していてもよい。章情報はオーサリングアプリケーションによって作成される再生リストに付加することができる。
次に図３を用いて章情報と各セクタとの対応について説明する。
すなわち図３オーサリングアプリケーションによって出力される章情報と各セクタの対応を表す再生リスト例である。
【００３２】
例えば今、章情報１と章情報２は番組情報１を構成している章である。章情報１はセクタ１からセクタ３で構成されている。すなわち、ポイント情報はセクタ１に付加されていることになる。また、章情報２はセクタ４からセクタｎで構成されている。すなわち、ポイント情報がセクタ４に付加されていることになる。
番組情報１を頭出ししたいときはセクタ１にアクセスすればよい。情報番組１の途中から再生したいときはセクタ４にアクセスすればよいことになる。
【００３３】
また、この再生リストは、各セクタに対応する合成画像情報を有することができる。
この合成画像情報は使用者によって設定される装飾用の画像情報に関する情報である。
例えば、第２記憶部に格納されている種々の画像情報のアドレスや、画像情報が視聴装
置２００に表示される際の位置情報（例えば、Ｘ，Ｙの座標データ）などである。
このような情報を用いて、セクタ１とセクタ２の番組情報が再生されているときは画像１を合成して表示させることができる。
【００３４】
なお、ポイント情報はオーサリングアプリケーションと入力部１１６を用いて使用者が
任意のセクタに付加させることもできる。
使用者が任意のセクタにポイント情報を付加する場合には、データプロセッサ部１０２がセクタ一つ当たりの再生時間を演算し、セクタ１からの時間の積算値を視聴装置２００に表示させることもできる。このことにより、使用者は再生時間を考慮しながらポイント情報を付加することができる。
【００３５】
次に図４を用いて更に詳しい再生リストについて説明する。すなわち図４はオーサリングアプリケーションによって出力される再生リスト例である。
再生リストには識別情報、番組情報、番組情報を区分する複数の領域それぞれを識別する情報としての章情報、複数の領域それぞれでの再生の有無を表す情報としての再生情報、複数の領域の再生順序を表す情報として再生順番情報、などの情報が記載されている。
【００３６】
識別情報は記録媒体１１２が有する固有の情報である。
この識別情報は再生リストが記録媒体１１２と対応するかどうかを判定するのに用いられる。
番組情報は記録媒体１１２に記録されている番組情報のことであり例えば、番組情報１はドラマ、番組情報２はコマーシャル、番組情報３はニュースなどである。
【００３７】
章情報は任意の番組情報の頭出しやサーチが容易に行うためのものである。
再生情報は入力装置１１６を用いて設定される。この設定に基づいて番組情報（章）の再生または非再生が判定される。
この番組情報の再生または非再生の判定はデータプロセッサ部１０２によって行われる。この判定は例えば、番組情報１の再生情報が１に設定されたならば番組情報を再生する、再生情報が０に設定されたならば番組情報１は再生しないなどである。
【００３８】
もちろん０に設定されていれば再生し、１に設定されていれば再生しないとする設定でも差し支えない。再生順番情報は再生情報が１に設定されている番組情報（章）の再生順番（優先度）を示すパラメータである。この再生順番も入力部１１６によって任意に設定可能である。
データプロセッサ部１０２はこれら再生リストの内容を参照しながら記録媒体１１２に記録された番組情報を、記録媒体読み書き部１１０を制御して読み取らせる。
【００３９】
次に図５ないし図７を用いて、番組情報と通信アプリケーションを記録媒体に記録する手順と、この記録された番組情報と通信アプリケーションを再生する手順について説明する。
まず図５を用いて記録媒体１１２に番組情報と通信アプリケーションを記録する手順について説明する。すなわち図５は番組情報と通信アプリケーションを記録する手順を示すフロー図である。
【００４０】
なお、以下の説明ではデータプロセッサ部１０２が記録媒体読み書き部１１０を制御して記録媒体１１２に記録された番組情報や、通信アプリケーションを読み取らせる動作のことを単にデータプロセッサ部１０２が記録媒体１１２に記録された番組情報を読み取る、通信アプリケーションを読み取る、などと表記する。
まず、データプロセッサ部１０２の制御によって未記録の状態の記録媒体１１２に対して、第１記憶部１０８に蓄積された番組情報や番組受信部１０４によって受信された番組情報が記録される（Ｓ１１）。
【００４１】
その後、記録媒体１１２には、通信アプリケーションが記録される（Ｓ１２）。このとき、通信アプリケーションはランダムに生成した数字情報または現在の時間や日時などを識別情報として付加される。そして所定のセクタに負荷されたポイント情報も付加される。なお、Ｓ１１およびＳ１２が実行される順番は限定されず記録媒体１１２には通信アプリケーションから記録されてもよい。
次に図６を用いて番組情報と通信アプリケーションを再生する手順について説明する。
【００４２】
すなわち図６は情報記録装置１００の動作手順を示すフロー図である。
まず、データプロセッサ部１０２に制御され、記録媒体１１２に記録した通信アプリケーションが読み取られる（Ｓ２１）。このとき読み取られる内容は、再生プログラムの起動指示情報や、識別情報、ポイント情報（章情報）などである。データプロセッサ部１０２は通信アプリケーションの起動指示情報に基づいて第２記憶部１１４へアクセスする。
【００４３】
続いて第２記憶部１１４格納されている再生プログラムがデータプロセッサ部１０２に読み取られる（Ｓ２２）。
読み取られた再生プログラムに基づいてまず記録媒体１１２の識別情報を有する再生リストが存在するかどうかの検索がおこなわれる（Ｓ２３）。
検索の結果、再生リストが存在すると判定された場合には、検索された再生リストがデータプロセッサ部１０２に読み取られる（Ｓ２４）。
【００４４】
読み取られた再生リストに基づいて記録媒体１１２に記録された番組情報がデータプロセッサ部１０２によって読み取られる（Ｓ２５）。
更にデータプロセッサ部１０２によって第２記憶部１１４に格納され背景などの画像情報が再生リストに基づいて読み取られる（Ｓ２６）。これら読み取られた番組情報と、画像情報とはデータプロセッサ部１０２によって合成され、合成情報として情報出力部へと出力される。
【００４５】
情報出力部１１８は出力された合成情報を視聴装置２００へと出力する。出力された合成情報は視聴装置２００で再生させる（Ｓ２７）。Ｓ２３での検索で、再生リストが存在しなかったと判定された場合、データプロセッサ部１０２によって第２記憶部１１４に格納されたオーサリングアプリケーションが起動される。
次に図７を用いて、起動されたオーサリングアプリケーションによるオーサリングおよび再生リストの作成について説明する。
【００４６】
すなわち図７はオーサリングおよび再生リストの作成についてのフロー図である。
オーサリングアプリケーションによるオーサリングおよび再生リストの作成は、データプロセッサ部１０２の制御によって視聴装置２００に表示された画面を使用者が確認しながら行うことができる。
すなわち再生リストの作成の際にはまず、記録媒体１１２に記憶された番組情報がデータプロセッサ部１０２によって情報出力部１１８へと出力される。
【００４７】
情報出力部１１８に出力された番組情報は更に視聴装置２００出力され再生される（Ｓ３１）。ここで、番組情報にポイント情報が自動的に付加されている場合には、ポイント情報で区切られた番組情報毎にサムネイル形式で再生することなどが可能である。
オーサリング作業は例えば、以下Ａ−Ｅに示すような作業が行われる。
Ａ．入力部１１６を用いて任意のセクタにポイント情報が付加される（使用者による章の作成）（Ｓ３２）。
【００４８】
Ｂ．作成された章の番組情報の必要なデータと不要なデータとの選別がおこなわれ、再生または非再生の再生情報が付加される（Ｓ３３）。
Ｃ．再生情報が付加された番組情報の再生順番情報が付加される（優先度の設定）（Ｓ３４）。
Ｄ．番組情報と合成される画像情報が作成また選択される（Ｓ３５）。
Ｅ．メニュー画面の作成が行われる（Ｓ３６）。
【００４９】
以上の作業に基づいて再生リストがデータプロセッサ部１０２の制御されたオーサリン
グアプリケーションによって出力される（Ｓ３７）。このとき出力される再生リストには、通信アプリケーションが有している識別情報やポイント情報（章情報）が付加される。なお再生リストに付加されるポイント情報は通信アプリケーションが有しているポイント情報よりもオーサリング作業で使用者によって付加されたポイント情報の方が優先される。
【００５０】
オーサリングが終了し再生リストが出力されたときに、データプロセッサ部１０２が情報出力部１１８を制御して視聴装置２００にメッセージを表示させることも可能である。例えば、再生リストに基づいて記録媒体１１２の再生を今から行うかどうかなどのメッセージを表示させることができる。
入力部１１６によって番組情報の再生を行う旨が入力された場合データプロセッサ部１０２は記録媒体１１２によって通信アプリケーションが読み取られる。
【００５１】
入力部１１６によっての再生を行わない旨が入力された場合には、データプロセッサ部１０２の制御によって、記録媒体１１２が情報記録装置１００外へと排出されるようにすることもできる。
出力された再生リストに基づいて記録媒体１１２が読み取られることで例えば、記録媒体１１２に記録された番組情報２と番組情報３の章４はスキップされ、番組情報３の章５は再生されることになる。
【００５２】
以上、この実施形態の情報記録装置１００を用いれば記録媒体１１２に記録した番組情報自体を編集することなく、番組情報の編集が可能になる。すなわち、番組情報を記録媒体１１２に記録しておき、後から自由に編集を行うことができる。
このことを踏まえれば、ハードディスクの容量が残り少なくなる一方、予約録画したい番組が間近に迫り、時間の制約が厳しい場合などでも、編集する手間をかけずに記録媒体に記録することができる。
【００５３】
（その他の実施の形態）
本発明の実施の形態は上記に限られず拡張、変更可能であり、拡張、変更した実施形態も本発明の技術的範囲に含まれる。例えば、情報記録装置１００がネットワーク制御部を有し例えば、ＬＡＮによってサーバなどの外部機器と接続されるようにしてもよい。この場合には第２記憶部１１４はサーバ内に設けられる。
【００５４】
このようにサーバと接続される場合には、記録媒体１１２に記録される通信アプリケーションには、記録媒体識別情報とともに、サーバと通信を行うための接続先のサーバの識別子（例えば、ドメイン名）や、通信に用いられる通信プロトコルの種別や、ポート番号など各種情報が含まれる。
また、この他にも通信アプリケーションにサーバと情報記録装置１００を接続する処理手順を記述することができる。
【図面の簡単な説明】
【００５５】
【図１】本発明の情報記録装置の構成を示すブロック図である。
【図２】記録媒体も構成を説明する構成図である。
【図３】章情報と各セクタの対応を表す再生リスト例である。
【図４】再生リスト例である。
【図５】番組情報と通信アプリケーションを記録する手順を示すフロー図である。
【図６】情報記録装置の動作手順を示すフロー図である。
【図７】オーサリングおよび再生リストの作成についてのフロー図である。
【符号の説明】
【００５６】
１００…情報記録装置、１０２…データプロセッサ部、１０４…番組受信部、１０８…第１記憶部、１１０…記録媒体読み書き部、１１２…記録媒体、１１４…第２記憶部、１１６…入力部、１１８…情報出力部、２００…視聴装置。
【図１】
2008113346.tif 000003
【図２】
2008113346.tif 000004
【図３】
2008113346.tif 000005
【図４】
2008113346.tif 000006
【図５】
2008113346.tif 000007
【図６】
2008113346.tif 000008
【図７】
2008113346.tif 000009